(57)【特許請求の範囲】
【請求項１】
複数の機能の中から選択されかつログインが必要な第１機能の実行の決定を入力するボタンに設けられたセンサにより検出された指紋が、登録された複数の指紋のうちの第１ユーザの第１指紋と一致した場合、前記第１ユーザのユーザＩＤと対応付けられたログイン情報を取得し、当該取得した第１ログイン情報を用いて、前記第１機能に対するログインを実行し、前記センサにより検出された指紋が、前記登録された複数の指紋のうちの第２ユーザの第２指紋と一致した場合、前記第２ユーザのユーザＩＤと対応付けられたログイン情報を取得し、当該取得した第２ログイン情報を用いて、前記第１機能に対するログインを実行する処理手段、
を備えた電子機器。
【請求項２】
前記第１機能は、ユーザに対して、１以上の番組の情報を表示するための機能であって、
前記処理手段は、前記センサにより検出された指紋が前記第１ユーザの第１指紋と一致した場合、前記第１ユーザの嗜好情報または操作履歴の少なくとも一方を用いて、前記第１ユーザに対する１以上の番組の情報を表示部に表示する請求項１に記載の電子機器。
【請求項３】
前記第１機能は、商品または役務の少なくとも１つを購入するための機能であって、
前記処理手段は、前記センサにより検出された指紋が前記第１ユーザの第１指紋と一致した場合、前記第１ユーザに課金するために用いられる情報を用いて、購入した商品または役務の少なくとも１つを決済するための処理を実行する請求項１に記載の電子機器。
【請求項４】
前記処理手段は、前記第１機能がユーザの認証を要しない機能である場合、前記センサにより検出した指紋が前記登録された指紋と一致するか否かの判断を禁止しかつ前記第１機能を実行する請求項１に記載の電子機器。
【請求項５】
前記処理手段は、前記センサにより検出された指紋が、前記登録された指紋と一致しなかった場合、当該検出した指紋を登録するための第１画面を表示部に表示する請求項１に記載の電子機器。
【請求項６】
前記処理手段は、前記第１ユーザの情報が登録されていない場合、前記第１ユーザの情報を入力する入力欄を含む第２画面を表示部に表示し、前記入力欄のうち前記第１機能の実行に用いる情報の前記入力欄を、他の前記入力欄と異なる表示態様で表示させる請求項１に記載の電子機器。
【請求項７】
複数の機能の中から選択されかつログインが必要な第１機能の実行の決定を入力するボタンに設けられたセンサにより検出された指紋が、登録された複数の指紋のうちの第１ユーザの第１指紋と一致した場合、前記第１ユーザのユーザＩＤと対応付けられたログイン情報を取得し、当該取得した第１ログイン情報を用いて、前記第１機能に対するログインを実行し、
前記センサにより検出された指紋が、前記登録された複数の指紋のうちの第２ユーザの第２指紋と一致した場合、前記第２ユーザのユーザＩＤと対応付けられたログイン情報を取得し、当該取得した第２ログイン情報を用いて、前記第１機能に対するログインを実行する、
ことを含む方法。
【請求項８】
前記第１機能は、ユーザに対して、１以上の番組の情報を表示するための機能であって、
前記センサにより検出された指紋が前記第１ユーザの第１指紋と一致した場合、前記第１ユーザの嗜好情報または操作履歴の少なくとも一方を用いて、前記第１ユーザに対する１以上の番組の情報を表示部に表示する請求項７に記載の方法。
【請求項９】
前記第１機能は、商品または役務の少なくとも１つを購入するための機能であって、
前記センサにより検出された指紋が前記第１ユーザの第１指紋と一致した場合、前記第１ユーザに課金するために用いられる情報を用いて、購入した商品または役務の少なくとも１つを決済するための処理を実行する請求項７に記載の方法。
【請求項１０】
前記第１機能がユーザの認証を要しない機能である場合、前記センサにより検出した指紋が前記登録された指紋と一致するか否かの判断を禁止しかつ前記第１機能を実行する請求項７に記載の方法。
【請求項１１】
前記センサにより検出された指紋が、前記登録された指紋と一致しなかった場合、当該検出した指紋を登録するための第１画面を表示部に表示する請求項７に記載の方法。
【請求項１２】
前記第１ユーザの情報が登録されていない場合、前記第１ユーザの情報を入力する入力欄を含む第２画面を表示部に表示し、前記入力欄のうち前記第１機能の実行に用いる情報の前記入力欄を、他の前記入力欄と異なる表示態様で表示させる請求項７に記載の方法。
【請求項１３】
コンピュータを、
複数の機能の中から選択されかつログインが必要な第１機能の実行の決定を入力するボタンに設けられたセンサにより検出された指紋が、登録された複数の指紋のうちの第１ユーザの第１指紋と一致した場合、前記第１ユーザのユーザＩＤと対応付けられたログイン情報を取得し、当該取得した第１ログイン情報を用いて、前記第１機能に対するログインを実行し、前記センサにより検出された指紋が、前記登録された複数の指紋のうちの第２ユーザの第２指紋と一致した場合、前記第２ユーザのユーザＩＤと対応付けられたログイン情報を取得し、当該取得した第２ログイン情報を用いて、前記第１機能に対するログインを実行する処理手段、
として機能させるためのプログラム。
【請求項１４】
前記第１機能は、ユーザに対して、１以上の番組の情報を表示するための機能であって、
前記処理手段は、前記センサにより検出された指紋が前記第１ユーザの第１指紋と一致した場合、前記第１ユーザの嗜好情報または操作履歴の少なくとも一方を用いて、前記第１ユーザに対する１以上の番組の情報を表示部に表示する請求項１３に記載のプログラム。
【請求項１５】
前記第１機能は、商品または役務の少なくとも１つを購入するための機能であって、
前記処理手段は、前記センサにより検出された指紋が前記第１ユーザの第１指紋と一致した場合、前記第１ユーザに課金するために用いられる情報を用いて、購入した商品または役務の少なくとも１つを決済するための処理を実行する請求項１３に記載のプログラム。
【請求項１６】
前記処理手段は、前記第１機能がユーザの認証を要しない機能である場合、前記センサにより検出した指紋が前記登録された指紋と一致するか否かの判断を禁止しかつ前記第１機能を実行する請求項１３に記載のプログラム。
【請求項１７】
前記処理手段は、前記センサにより検出された指紋が、前記登録された指紋と一致しなかった場合、当該検出した指紋を登録するための第１画面を表示部に表示する請求項１３に記載のプログラム。
【請求項１８】
前記処理手段は、前記第１ユーザの情報が登録されていない場合、前記第１ユーザの情報を入力する入力欄を含む第２画面を表示部に表示し、前記入力欄のうち前記第１機能の実行に用いる情報の前記入力欄を、他の前記入力欄と異なる表示態様で表示させる請求項１３に記載のプログラム。
【発明の詳細な説明】
【技術分野】
【０００１】
本発明の実施形態は、電子機器、方法およびプログラムに関する。
【背景技術】
【０００２】
リモートコントローラ等の電子機器の決定ボタン上に指紋センサを配置し、当該決定ボタンの押下と同時に指紋センサにより検出された指紋を用いてユーザの認証を行う技術がある。
【先行技術文献】
【特許文献】
【０００３】
【特許文献１】特開２００９−１０８１８号公報
【発明の概要】
【発明が解決しようとする課題】
【０００４】
ところで、重要な機能の実行やユーザの意思の確認等には、ユーザに対して、決定ボタンの押下が求められるが、決定ボタンによって実行が決定された機能をユーザに応じて実行するためには、事前にユーザがログインしておく必要がある。
【０００５】
本発明の一実施形態は、上記に鑑みてなされたものであって、決定ボタンの押下のみによって、個々のユーザに適した機能を実行可能とする電子機器、方法およびプログラムを提供することを目的とする。
【課題を解決するための手段】
【０００６】
実施形態の電子機器は、電子回路を備える。電子回路は、複数の機能の中から選択されかつログインが必要な第１機能の実行の決定を入力するボタンに設けられたセンサにより検出された指紋が、登録された複数の指紋のうちの第１ユーザの第１指紋と一致した場合、第１ユーザのユーザＩＤと対応付けられたログイン情報を取得し、当該取得した第１ログイン情報を用いて、第１機能に対するログインを実行し、センサにより検出された指紋が、登録された複数の指紋のうちの第２ユーザの第２指紋と一致した場合、第２ユーザのユーザＩＤと対応付けられたログイン情報を取得し、当該取得した第２ログイン情報を用いて、第１機能に対するログインを実行する。
【図面の簡単な説明】
【０００７】
【図１】図１は、本実施形態にかかるテレビジョン装置のハードウェア構成の一例を示す図である。
【図２】図２は、本実施形態にかかるテレビジョン装置に記憶された動作テーブルの一例を示す図である。
【図３】図３は、本実施形態にかかるテレビジョン装置に記憶されたユーザ情報テーブルの一例を示す図である。
【図４】図４は、本実施形態にかかるテレビジョン装置に対する操作情報の入力に用いるリモートコントローラの一例を示す図である。
【図５】図５は、本実施形態にかかるテレビジョン装置が備える制御部の機能的構成に一例を示すブロック図である。
【図６】図６は、本実施形態にかかるテレビジョン装置における機能の実行処理の流れの一例を示すフローチャートである。
【図７】図７は、本実施形態にかかるテレビジョン装置において表示されるメニュー画面の一例を示す図である。
【図８】図８は、本実施形態にかかるテレビジョン装置における指紋情報の登録処理の流れの一例を示すフローチャートである。
【図９】図９は、本実施形態にかかるテレビジョン装置によって表示されるユーザ登録画面の一例を示す図である。
【図１０】図１０は、本実施形態にかかるテレビジョン装置において表示されるユーザアイコン設定画面の一例を示す図である。
【図１１】図１１は、本実施形態にかかるテレビジョン装置におけるユーザ付加情報の登録処理の流れの一例を示すフローチャートである。
【図１２】図１２は、本実施形態にかかるテレビジョン装置により表示されるユーザ付加情報登録画面の一例を示す図である。
【発明を実施するための形態】
【０００８】
以下、添付の図面を用いて、本実施形態にかかる電子機器、方法およびプログラムを適用したテレビジョン装置について説明する。ここでは、本実施形態にかかる電子機器、方法およびプログラムをテレビジョン装置に適用した例について説明するが、これに限定するものではなく、録画再生装置や情報処理装置にも適用することができる。
【０００９】
図１は、本実施形態にかかるテレビジョン装置のハードウェア構成の一例を示す図である。図１に示すように、本実施形態にかかるテレビジョン装置１は、アンテナ１１２と、入力端子１１３と、チューナ１１４と、復調器１１５と、を有している。アンテナ１１２は、デジタル放送の放送波を受信し、受信した放送波の放送信号を、入力端子１１３を介してチューナ１１４に入力する。
【００１０】
チューナ１１４は、入力された放送信号から所望のチャンネルの放送信号を選局して出力する。チューナ１１４から出力された放送信号は、復調器１１５に入力される。復調器１１５は、放送信号に復調処理を施すことにより、デジタル信号（デジタル形式の映像信号および音声信号）を生成して、後述するセレクタ１１６に入力する。
【００１１】
また、テレビジョン装置１は、セレクタ１１６と、入力端子１２１，１２３と、Ａ／Ｄ変換部１２２と、信号処理部１２４と、スピーカ１２５と、映像表示パネル１０２と、を有している。入力端子１２１には、アナログ形式の映像信号および音声信号が外部から入力される。入力端子１２３には、デジタル信号（デジタル形式の映像信号および音声信号）が外部から入力される。Ａ／Ｄ変換部１２２は、入力端子１２１から入力されるアナログ形式の映像信号および音声信号をデジタル信号に変換してセレクタ１１６に入力する。
【００１２】
セレクタ１１６は、復調器１１５、Ａ／Ｄ変換部１２２、および入力端子１２３から入力される複数のデジタル信号から、１つのデジタル信号を選択して信号処理部１２４に入力する。
【００１３】
信号処理部１２４は、入力されたデジタル形式の映像信号に対して所定の信号処理やスケーリング処理等を施して、映像表示パネル１０２に出力する。また、信号処理部１２４は、入力されたデジタル形式の音声信号に対して所定の信号処理を施すことにより、アナログ形式の音声信号に変換して、スピーカ１２５に出力する。
【００１４】
さらに、信号処理部１２４は、映像表示パネル１０２を用いたＯＳＤ（On  Screen  Display）インタフェースを提供するためのＯＳＤ信号などを生成する。
【００１５】
スピーカ１２５は、信号処理部１２４から入力される音声信号に基づいて、音声を出力する。映像表示パネル１０２は、液晶ディスプレイやプラズマディスプレイ等のディスプレイにより構成され、信号処理部１２４から入力される映像信号に基づいて映像を表示する表示部である。
【００１６】
さらに、テレビジョン装置１は、制御部１２７と、操作部１２８と、受光部１２９と、ＨＤＤ（Hard  Disk  Drive）１３０と、メモリ１３１と、通信Ｉ／Ｆ１３２と、を有している。
【００１７】
制御部１２７は、テレビジョン装置１の各部を制御する。本実施形態では、制御部１２７は、ＣＰＵ（Central  Processing  Unit）等のプロセッサを備えた電子回路である。制御部１２７には、操作部１２８からの操作情報が入力される。また、制御部１２７には、リモートコントローラ１５０からの操作情報が受光部１２９を介して入力される。制御部１２７は、操作部１２８およびリモートコントローラ１５０からの操作情報に従って、テレビジョン装置１の各部を制御する。
【００１８】
制御部１２７は、テレビジョン装置１の各部を制御する際、メモリ１３１を使用する。メモリ１３１は、ＲＯＭ（Read  Only  Memory）、ＲＡＭ（Random  Access  Memory）、不揮発性メモリ等を有している。ＲＯＭには、制御部１２７が備えるＣＰＵにより実行される種々の制御プログラムが保存されている。ＲＡＭは、制御部１２７が備えるＣＰＵの作業エリアとして使用される。不揮発性メモリは、種々の設定情報や制御情報などを保存される。
【００１９】
本実施形態では、メモリ１３１の不揮発性メモリには、制御部１２７による各種機能の実行に用いる動作テーブルおよびユーザ情報テーブルが設定情報として記憶されている。図２は、本実施形態にかかるテレビジョン装置に記憶された動作テーブルの一例を示す図である。図３は、本実施形態にかかるテレビジョン装置に記憶されたユーザ情報テーブルの一例を示す図である。
【００２０】
図２に示すように、動作テーブル２００は、テレビジョン装置１が有する各種機能を識別可能とする機能ＩＤ２０１に対応付けて、各種機能の機能名２０２（例えば、「動画共有サービス機能」、「コンテンツ購入機能」、「番組推薦機能」、「番組表表示機能」、「オンラインショッピング機能」等）と、個人特定要否情報２０３と、付加情報要否情報２０４と、を記憶する。ここで、テレビジョン装置１が有する機能は、リモートコントローラ１５０等のユーザインタフェースを通じてテレビジョン装置１等の電子機器が実行可能な機能である。
【００２１】
動画共有サービス機能は、Twitter（登録商標）やFacebook（登録商標）やYoutube（登録商標）等のサービス機能であって、後述する決定キー１５０ｊ（図４参照）の押下時に、ログインが必要な機能である。また、動画共有サービス機能は、ネットワークＮＷ上のサーバ等の外部装置からコンテンツを取得して、当該取得したコンテンツを再生して映像表示パネル１０２に表示させるための機能である。コンテンツ購入機能（お買い物機能）は、決定キー１５０ｊの押下時に、購入した商品または役務の少なくとも１つの決済処理を実行する機能である。すなわち、コンテンツ購入機能は、ネットワークＮＷ上のサーバ等の外部装置に記憶された音楽や画像等のコンテンツ等の商品または役務の少なくとも１つを購入するための機能である。番組推薦機能は、決定キー１５０ｊの押下時に、ユーザに推薦する放送番組やコンテンツに関する情報等、ユーザに対して、１以上の番組の情報を映像表示パネル１０２に表示させるための機能である。番組表表示機能は、放送番組の視聴・録画・予約を行わせるための番組表を表示させる機能である。オンラインショッピング機能は、ネットワークＮＷ上で各種商品を販売するウェブサイトにアクセスする機能である。
【００２２】
個人特定要否情報２０３は、機能の実行に際してユーザの認証（ログイン）が必要であるか否かを示す情報である。本実施形態では、個人特定要否情報２０３は、機能の実行に際してユーザを認証する必要がある場合、「○」となる。例えば、動画共有サービス機能、コンテンツ購入機能、番組推薦機能およびオンラインショッピング機能は、当該各機能の実行に際してユーザを認証する必要があるため、当該各機能の機能ＩＤ２０１と対応付けられた個人特定要否情報２０３は、「○」となる。
【００２３】
個人特定要否情報２０３は、機能の実行に際してユーザの認証が必要ない場合、「×」となる。例えば、番組表表示機能は、当該番組表表示機能の実行に際してユーザを認証する必要がないため、番組表表示機能の機能ＩＤ２０１と対応付けられた個人特定要否情報２０３は、「×」となる。
【００２４】
また、付加情報要否情報２０４は、機能の実行に際してユーザ付加情報が必要か否かを示す情報である。ここで、ユーザ付加情報は、ユーザ毎に予め登録されかつ機能の実行に用いる情報である。例えば、ユーザ付加情報は、機能に対するユーザのログイン（認証）に用いるログインＩＤやパスワード等のログイン情報、機能の実行によるコンテンツ等の商品または役務の少なくとも１つの決済に際してユーザに課金するために用いられる情報であるクレジットカード情報、機能の実行による商品の配送先の特定に用いるユーザの住所等である。
【００２５】
本実施形態では、付加情報要否情報２０４は、機能の実行に際してユーザ付加情報が必要である場合、「○」となる。例えば、動画共有サービス機能は、当該動画共有サービス機能の実行に際して、ユーザ付加情報の一例であるログイン情報が必要となる。そのため、動画共有サービス機能の機能ＩＤ２０１と対応付けられた付加情報要否情報２０４（ログイン情報）は、「○」となる。
【００２６】
付加情報要否情報２０４は、機能の実行に際して、ユーザ付加情報が任意で必要となる場合、「△」となる。例えば、オンラインショッピング機能は、当該オンラインショッピング機能の実行に際して、ユーザ付加情報の一例であるクレジットカード情報が必要となる場合があるため、オンラインショッピング機能の機能ＩＤ２０１と対応付けられた付加情報要否情報２０４（クレジットカード情報）は、「△」となる。
【００２７】
付加情報要否情報２０４は、機能の実行に際してユーザ付加情報が必要ない場合、「×」となる。例えば、動画共有サービス機能は、当該動画共有サービス機能の実行に際して、ユーザ付加情報の一例であるクレジットカード情報や住所は必要ないため、動画共有サービス機能の機能ＩＤ２０１と対応付けられた付加情報要否情報２０４（クレジットカード情報および住所）は、「×」となる。
【００２８】
図３に示すように、ユーザ情報テーブル３００は、テレビジョン装置１に登録されたユーザを識別可能とするユーザＩＤ３０１と対応付けて、テレビジョン装置１に登録されたユーザの指紋情報３０２と、テレビジョン装置１に登録されたユーザ固有のアイコンの番号であるユーザアイコン番号３０３と、新たな指紋情報３０２の登録に用いる暗証番号３０４と、ユーザ付加情報３０５と、を記憶する。
【００２９】
図２に戻り、ＨＤＤ１３０は、セレクタ１１６により選択されたデジタル信号を記録する記憶部として機能する。ＨＤＤ１３０には、テレビジョン装置１によって録画する放送番組（またはコンテンツ）等のデジタル信号を記憶する。
【００３０】
通信Ｉ／Ｆ１３２は、ネットワークＮＷに接続されている。テレビジョン装置１は、通信Ｉ／Ｆ１３２を介して、ネットワークＮＷ上の外部装置（例えば、各種サーバ等）から、プログラム、ユーザの嗜好情報や操作履歴等の各種データを受信する。
【００３１】
図４は、本実施形態にかかるテレビジョン装置に対する操作情報の入力に用いるリモートコントローラの一例を示す図である。図４に示すように、本実施形態では、リモートコントローラ１５０は、主として、電源キー１５０ａ、数字キー１５０ｃ、チャンネルアップダウンキー１５０ｄ、音量調整キー１５０ｅ、カーソル上キー１５０ｆ、カーソル下キー１５０ｇ、カーソル左キー１５０ｈ、カーソル右キー１５０ｉ、決定キー１５０ｊ、戻るキー１５０ｌ、終了キー１５０ｍ、４色（青，赤，緑，黄）のカラーキー１５０ｎ等が設けられている。なお、カーソル上キー１５０ｆ、カーソル下キー１５０ｇ、カーソル左キー１５０ｈ、カーソル右キー１５０ｉは、いわゆる十字キー１５０ｚとして機能する。
【００３２】
本実施形態では、決定キー１５０ｊは、テレビジョン装置１が有する複数の機能の中から選択されている機能（第１機能の一例）の実行の決定を入力するためのボタンである。また、決定キー１５０ｊは、当該決定キー１５０ｊを押下したユーザの指紋を検出する指紋センサＳ（センサの一例）を有している。
【００３３】
また、リモートコントローラ１５０には、再生停止キー１５０ｏ、再生キー１５０ｐ、逆方向スキップキー１５０ｑ、順方向スキップキー１５０ｒ、早戻しキー１５０ｓ、早送りキー１５０ｔ、一時停止キー１５０ｕ等が設けられている。
【００３４】
また、リモートコントローラ１５０には、クイックメニューキー１５０ｂ、ざんまいプレイキー１５０ｋ、タイムシフトキー１５０ｗ、番組表キー１５０ｘが設けられている。
【００３５】
クイックメニューキー１５０ｂは、テレビジョン装置１が有している様々な機能の中から所望の機能を選択するためのメニュー画面を表示させるためのキーである。
【００３６】
ざんまいプレイキー１５０ｋは、ユーザが好みの放送番組（またはコンテンツ）を選択して表示させるざんまいプレイ機能を選択するためのキーである。タイムシフトキー１５０ｗは、タイムシフトマシン機能を選択するためのキーである。番組表キー１５０ｘは、番組表表示機能を選択するためのキーである。
【００３７】
次に、図５を用いて、テレビジョン装置１が備える制御部１２７の機能的構成について説明する。図５は、本実施形態にかかるテレビジョン装置が備える制御部の機能的構成に一例を示すブロック図である。
【００３８】
本実施形態では、制御部１２７（処理手段の一例）は、認証部５０１と、実行部５０２と、表示制御部５０３と、を備える。認証部５０１は、決定キー１５０ｊの指紋センサＳにより検出されたユーザの指紋情報を用いて、決定キー１５０ｊを操作したユーザを認証する処理であって、指紋センサＳにより検出された指紋が、予め登録された複数の指紋のうちのいずれかと一致するか否かを判断する指紋認証処理を実行する。実行部５０２は、認証部５０１による認証に成功したユーザ（すなわち、指紋センサＳにより検出された指紋が、予め登録された複数の指紋のうちの１つの指紋と一致したユーザ）の情報（ユーザ付加情報）を用いて、決定キー１５０ｊにより実行が決定された機能を実行する。これにより、認証に成功したユーザに応じて機能を実行する際に、決定キー１５０ｊの押下と同時に、指紋を用いたユーザの認証が行われるので、決定キー１５０ｊの操作のみで、個々のユーザに適した機能の実行が可能となる。表示制御部５０３は、テレビジョン装置１が有する機能の実行に際して、映像表示パネル１０２に対して各種画面を表示させる。本実施形態では、認証部５０１、実行部５０２および表示制御部５０３が、テレビジョン装置１が備える制御部１２７において実現されているが、これに限定するものではなく、例えば、サーバ等の外部装置に、認証部５０１、実行部５０２および表示制御部５０３の少なくとも１つを設けても良い。サーバ等の外部装置に、認証部５０１、実行部５０２および表示制御部５０３の全てを設けた場合、テレビジョン装置１は、単なる、表示器として機能する。
【００３９】
次に、図６を用いて、本実施形態にかかるテレビジョン装置１における機能の実行処理の流れの一例について説明する。図６は、本実施形態にかかるテレビジョン装置における機能の実行処理の流れの一例を示すフローチャートである。
【００４０】
本実施形態では、表示制御部５０３は、リモートコントローラ１５０のクイックメニューキー１５０ｂが押下されて、メニュー画面Ｇ１の表示を指示する操作情報が入力されると、メニュー画面Ｇ１を映像表示パネル１０２に表示させる。
【００４１】
図７は、本実施形態にかかるテレビジョン装置において表示されるメニュー画面の一例を示す図である。表示制御部５０３は、クイックメニューキー１５０ｂが押下された後、リモートコントローラ１５０を介してユーザＩＤが入力されると、当該入力されたユーザＩＤにより識別されるユーザを、テレビジョン装置１のユーザとして特定する。そして、表示制御部５０３は、特定したユーザ用のメニュー画面Ｇ１を映像表示パネル１０２に表示させる。図７に示すように、メニュー画面Ｇ１は、テレビジョン装置１が有する機能のうち実行対象とする機能を選択するためのアイコンの一覧であるお気に入りツール７００を含む。
【００４２】
本実施形態では、お気に入りツール７００には、ユーザの使用頻度が高い機能のアイコンから順に所定数（例えば、６個）のアイコンが表示される。例えば、お気に入りツール７００には、タイムシフトマシン機能を選択するためのタイムシフトアイコン７０１、ざんまいプレイ機能を選択するためのざんまいアイコン７０２、番組表表示機能を選択するための番組表アイコン７０３、動画共有サービス機能を選択するための動画アイコン７０４、テレビジョン装置１内に記憶された写真画像を表示させる写真表示機能を選択するための写真アイコン７０５、コンテンツ購入機能を選択するための音楽アイコン７０６などがある。
【００４３】
実行部５０２は、リモートコントローラ１５０を介してお気に入りツール７００のアイコンが操作されて実行対象の機能が選択されると、リモートコントローラ１５０の決定キー１５０ｊが操作されて、当該選択された機能（以下、選択機能という）の実行の決定が入力されるのを待つ（ステップＳ６０１）。本実施形態では、実行部５０２は、お気に入りツール７００のアイコンを用いて選択された機能を選択機能としているが、これに限定するものではなく、ざんまいプレイキー１５０ｋやタイムシフトキー１５０ｗや番組表キー１５０ｘを用いて選択された機能を選択機能としても良い。
【００４４】
選択機能が選択された後、リモートコントローラ１５０の決定キー１５０ｊが押下されて（ステップＳ６０１：Ｙｅｓ）、選択機能の実行の決定を示す操作情報が入力されると、実行部５０２は、動作テーブル２００に記憶された個人特定要否情報２０３のうち、選択機能の機能ＩＤ２０１と対応付けて記憶された個人特定要否情報２０３を検索する（ステップＳ６０２）。そして、実行部５０２は、検索した個人特定要否情報２０３に基づいて、選択機能の実行に際してユーザを認証する必要があるか否かを判断する（ステップＳ６０３）。
【００４５】
検索した個人特定要否情報２０３が「×」である場合、すなわち、選択機能の実行に際して、ユーザを認証する必要がない場合（ステップＳ６０３：Ｎｏ）、実行部５０２は、決定キー１５０ｊの指紋センサＳにより検出された指紋情報を用いたユーザの認証（すなわち、指紋センサＳにより検出された指紋が予め登録された指紋と一致するか否かの判断）を禁止し、かつ選択機能を実行する（ステップＳ６０４）。これにより、選択機能の実行に際して、ユーザの認証が行われずに、選択機能が実行されるので、ユーザの認証により制御部１２７にかかる付加を軽減することができる。
【００４６】
一方、検索した個人特定要否情報が「〇」である場合、すなわち、選択機能の実行に際して、ユーザを認証する必要がある場合（ステップＳ６０３：Ｙｅｓ）、認証部５０１は、決定キー１５０ｊが有する指紋センサＳにより検出された指紋情報を取得する。さらに、認証部５０１は、ユーザ情報テーブル３００に記憶された指紋情報３０２（登録された複数の指紋の一例）から、取得した指紋情報と一致する指紋情報３０２を検索する指紋認証処理を実行する（ステップＳ６０５）。認証部５０１は、取得した指紋情報と一致する指紋情報３０２と対応付けて記憶されたユーザＩＤ３０１により識別されるユーザを、認証に成功したユーザとする。本実施形態では、テレビジョン装置１が認証部５０１を有しているが、これに限定するものではなく、例えば、リモートコントローラ１５０やサーバ装置等の外部装置に認証部５０１を設け、外部装置に設けられた認証部５０１によるユーザの認証結果に基づいて、選択機能を実行するようにしても良い。
【００４７】
認証部５０１は、ユーザ情報テーブル３００に記憶された指紋情報３０２の中に、取得した指紋情報と一致する指紋情報３０２が含まれず、当該取得した指紋情報が未登録であると判断した場合（ステップＳ６０６：Ｙｅｓ）、当該取得した指紋情報の登録処理を実行する（ステップＳ６０７）。指紋情報の登録処理の詳細については、後述する。一方、ユーザ情報テーブル３００に記憶された指紋情報３０２の中に、取得した指紋情報と一致する指紋情報３０２が含まれていた場合（若しくは、指紋情報の登録処理が終了した場合）、実行部５０２は、動作テーブル２００を参照して、選択機能の実行に際してユーザ付加情報が必要か否かを判断する（ステップＳ６０８）。
【００４８】
そして、実行部５０２は、動作テーブル２００に記憶された付加情報要否情報２０４のうち、選択機能の機能ＩＤ２０１と対応付けて記憶された付加情報要否情報２０４が「×」である場合、すなわち、選択機能の実行に際してユーザ付加情報が必要ない場合（ステップＳ６０８：Ｎｏ）、ユーザ付加情報を用いずに、認証に成功したユーザに応じて、選択機能を実行する（ステップＳ６０９）。例えば、選択機能が番組推薦機能である場合、番組推薦機能の機能ＩＤ２０１と対応付けて記憶された付加情報要否情報２０４は、「×」である。そのため、実行部５０２は、ユーザ付加情報を用いずに、認証に成功したユーザの嗜好情報または操作履歴の少なくともいずれか一方を用いて、ユーザに対する１以上の番組の情報である推薦情報（例えば、ユーザが好みの放送番組またはコンテンツ）を映像表示パネル１０２に表示させる。これにより、決定キー１５０ｊを操作した後、ユーザのログインを行わなくても、ユーザの嗜好情報および操作履歴に基づく、推薦情報が表示されるので、推薦情報を表示させる際のユーザに対する操作負担を軽減することができる。本実施形態では、実行部５０２は、通信Ｉ／Ｆ１３２を介して、サーバ等の外部装置から、認証に成功したユーザの嗜好情報および操作履歴を取得するが、これに限定するものではなく、テレビジョン装置１のメモリ１３１等から、認証に成功したユーザの嗜好情報および操作履歴を取得しても良い。
【００４９】
一方、実行部５０２は、動作テーブル２００に記憶された付加情報要否情報２０４のうち、選択機能の機能ＩＤ２０１と対応付けて記憶された付加情報要否情報２０４が「〇」である場合、すなわち、選択機能の実行に際してユーザ付加情報が必要である場合（ステップＳ６０８：Ｙｅｓ）、ユーザ情報テーブル３００から、認証に成功したユーザのユーザＩＤ３０１と対応付けられたユーザ付加情報３０５を取得する（ステップＳ６１０）。次いで、実行部５０２は、動作テーブル２００において、選択機能の機能ＩＤ２０１と対応付けられた付加情報要否情報２０４が「〇」となっているユーザ付加情報３０５が全て取得されているか否かを判断する（ステップＳ６１１）。
【００５０】
選択機能の機能ＩＤ２０１と対応付けて記憶された付加情報要否情報２０４が「〇」となっているユーザ付加情報３０５が全て取得されていると判断した場合（ステップＳ６１１：Ｎｏ）、実行部５０２は、認証に成功したユーザに応じた選択機能を、取得したユーザ付加情報を用いて実行する(ステップＳ６１２)。例えば、選択機能が動画共有サービス機能である場合、実行部５０２は、ユーザ付加情報３０５として取得したログイン情報（認証に成功したユーザの所定のログイン情報）を用いて、動画共有サービス機能に対する、認証に成功したユーザのログインを実行する。これにより、動画共有サービス機能に対するログインに際して、ユーザがログイン情報の入力を行わなくて良いので、動画共有サービス機能を実行する際のユーザの操作負担を軽減することができる。本実施形態では、実行部５０２は、ユーザの認証に成功した場合、選択機能のみを実行しているが、これに限定するものではなく、選択機能以外の予め設定された他の機能に対する、当該認証に成功したユーザのログイン（所謂、シングルサインオン）等の他の機能を実行しても良い。
【００５１】
また、選択機能がコンテンツ購入機能である場合、実行部５０２は、ユーザ付加情報３０５として取得したクレジットカード情報（認証に成功したユーザの所定のクレジットカード情報）を用いて、購入したコンテンツを決済するための処理を実行する。これにより、コンテンツ購入機能を利用してコンテンツを購入する際に、ユーザがクレジットカード情報の入力を行わなくて良いので、コンテンツ購入機能を実行する際のユーザの操作負担を軽減することができる。
【００５２】
本実施形態では、テレビジョン装置１は、選択機能の実行の決定が入力された際に指紋センサＳにより検出された指紋情報を用いて、指紋認証処理を実行し、かつ認証に成功したユーザに応じた選択機能を実行しているが、これに限定するものではない。例えば、テレビジョン装置１は、選択機能の実行により各種画面（例えば、コンテンツ購入機能により購入するコンテンツの決済を行うか否かを決定するための確認画面）が表示された際に指紋センサＳにより検出された指紋情報を用いて、指紋認証処理を実行し、かつ認証に成功したユーザに応じた選択機能（例えば、クレジットカード情報を用いた決済など）を実行しても良い。
【００５３】
図６に戻り、選択機能の機能ＩＤ２０１と対応付けて記憶された付加情報要否情報２０４が「〇」となっているユーザ付加情報３０５が全て取得されていないと判断した場合（ステップＳ６１１：Ｙｅｓ）、すなわち、認証に成功したユーザのユーザ付加情報３０５が登録されていない場合、実行部５０２は、ユーザ付加情報を登録する情報登録処理を実行する（ステップＳ６１３）。なお、情報登録処理の詳細については、後述する。
【００５４】
次に、図８を用いて、本実施形態にかかるテレビジョン装置１における指紋情報の登録処理の流れについて説明する。図８は、本実施形態にかかるテレビジョン装置における指紋情報の登録処理の流れの一例を示すフローチャートである。
【００５５】
図６のステップＳ６０６において、取得した指紋情報が未登録であると判断された場合、表示制御部５０３は、指紋センサＳにより検出された指紋情報を登録するための画面の一例であるユーザ登録画面Ｇ２を映像表示パネル１０２に表示させる。図９は、本実施形態にかかるテレビジョン装置によって表示されるユーザ登録画面の一例を示す図である。図９に示すように、本実施形態では、表示制御部５０３は、ユーザ情報テーブル３００に指紋情報が既に保存されているユーザ（既存ユーザ）であることを入力するためのアイコンｉ１およびユーザ情報テーブル３００に指紋情報が未登録のユーザ（新規ユーザ）であることを入力するためのアイコンｉ２を含むユーザ登録画面Ｇ２を映像表示パネル１０２に表示させる。すなわち、表示制御部５０３は、新規ユーザか若しくは既存ユーザかを選択するためのユーザ登録画面Ｇ２を映像表示パネル１０２に表示させる（ステップＳ８０１）。
【００５６】
次いで、表示制御部５０３は、リモートコントローラ１５０を介してアイコンｉ２が操作されて新規ユーザの登録処理の実行が指示されると（ステップＳ８０２：Ｙｅｓ）、指紋センサＳから取得した指紋情報（指紋センサＳにより検出された指紋情報）を、ユーザ情報テーブル３００に保存する（ステップＳ８０３）。ユーザ情報テーブル３００への指紋情報の保存が完了すると（ステップＳ８０４）、表示制御部５０３は、新規ユーザ固有のアイコンを選択するためのユーザアイコン設定画面Ｇ３を映像表示パネル１０２に表示させる（ステップＳ８０５）。
【００５７】
図１０は、本実施形態にかかるテレビジョン装置において表示されるユーザアイコン設定画面の一例を示す図である。図１０に示すように、本実施形態では、表示制御部５０３は、新規ユーザ固有のアイコンとして選択可能なアイコンの候補であるアイコン候補Ｉの一覧を含むユーザアイコン設定画面Ｇ３を映像表示パネル１０２に表示させる。その際、表示制御部５０３は、既存ユーザのアイコンとして既に選択されているアイコン候補Ｉ（「他ユーザ使用」のアイコン）を非表示状態とすることによって、当該アイコン候補Ｉを選択できないようにする。表示制御部５０３は、リモートコントローラ１５０が操作されてアイコン候補Ｉが選択されかつ決定キー１５０ｊが操作されると、アイコン候補Ｉを新規ユーザのアイコンとして選択する。
【００５８】
図８に戻り、新規ユーザのアイコンが選択されると、表示制御部５０３は、リモートコントローラ１５０が操作されて、暗証番号（本実施形態では、数字４桁の暗証番号）が入力されるのを待つ（ステップＳ８０６）。その際、表示制御部５０３は、暗証番号の入力を促すメッセージを映像表示パネル１０２に表示させても良い（ステップＳ８０６）。そして、表示制御部５０３は、入力された暗証番号および選択したアイコンのユーザアイコン番号を、取得した指紋情報と対応付けてユーザ情報テーブル３００に保存する（ステップＳ８０７）。
【００５９】
また、表示制御部５０３は、リモートコントローラ１５０を介してアイコンｉ１が選択されて既存ユーザの登録処理の実行が指示されると、リモートコントローラ１５０が操作されて暗証番号が入力されるのを待つ（ステップＳ８０８）。そして、ユーザ情報テーブル３００に記憶された暗証番号３０４のうち選択されたアイコンｉ１のユーザアイコン番号３０３（既存ユーザのユーザアイコン番号３０３）と対応付けて記憶された暗証番号３０４と、入力された暗証番号とが一致するか否かを比較する（ステップＳ８０９）。
【００６０】
選択されたアイコンｉ１のユーザアイコン番号３０３と対応付けて記憶された暗証番号３０４と、入力された暗証番号とが一致した場合、入力された暗証番号が正しいと判断して（ステップＳ８１０：Ｙｅｓ）、表示制御部５０３は、選択されたアイコンｉ１のユーザアイコン番号３０３と対応付けて記憶されたユーザＩＤ３０１に対応付けて、取得した指紋情報を追加で保存する（ステップＳ８１１）。一方、選択されたアイコンｉ１のユーザアイコン番号３０３と対応付けて記憶された暗証番号３０４と、入力された暗証番号とが一致しなかった場合、表示制御部５０３は、入力された暗証番号が誤っていると判断して（ステップＳ８１２）、ステップＳ８０１に戻り、再度、ユーザ登録画面Ｇ２を表示させる。
【００６１】
次に、図１１を用いて、本実施形態にかかるテレビジョン装置１におけるユーザ付加情報の登録処理の流れについて説明する。図１１は、本実施形態にかかるテレビジョン装置におけるユーザ付加情報の登録処理の流れの一例を示すフローチャートである。
【００６２】
図６のステップＳ６１１において、選択機能の実行に必要なユーザ付加情報が登録されていないと判断された場合、表示制御部５０３は、動作テーブル２００を参照して、選択機能の実行に必要なユーザ付加情報を特定する（ステップＳ１１０１）。具体的には、表示制御部５０３は、動作テーブル２００において、選択機能の機能ＩＤ２０１と対応付けて記憶された付加情報要否情報２０４が「〇」であるユーザ付加情報を、選択機能の実行に必要なユーザ付加情報として特定する。
【００６３】
次いで、表示制御部５０３は、ユーザ付加情報を登録するための画面の一例であるユーザ付加情報登録画面Ｇ４を映像表示パネル１０２に表示させる。本実施形態では、表示制御部５０３は、ユーザ付加情報を入力するための入力欄を含むユーザ付加情報登録画面Ｇ４を映像表示パネル１０２に表示させる（ステップＳ１１０２）。これにより、表示制御部５０３は、テレビジョン装置１のユーザに対して、ユーザ付加情報の入力を促す（ステップＳ１１０３）。表示制御部５０３は、ユーザ付加情報登録画面Ｇ４に含まれる入力欄のうち、選択機能の実行に必要なユーザ付加情報の入力欄を他の入力欄と表示態様を変えて表示させる。これにより、選択機能の実行に必要なユーザ付加情報の入力欄を容易に判別することができるので、ユーザ付加情報を入力する際のユーザの利便性を向上させることができる。
【００６４】
図１２は、本実施形態にかかるテレビジョン装置により表示されるユーザ付加情報登録画面の一例を示す図である。図１２に示すように、本実施形態では、表示制御部５０３は、各ユーザ付加情報を入力するための入力欄Ｒを含むユーザ付加情報登録画面Ｇ４を映像表示パネル１０２に表示させる。その際、表示制御部５０３は、ユーザ付加情報登録画面Ｇ４に含まれる入力欄Ｒのうち、選択機能の実行に必要なユーザ付加情報の入力欄Ｒの色等の表示態様を他の入力欄Ｒと変えることにより、選択機能の実行に必要なユーザ付加情報を識別可能としても良い。
【００６５】
そして、表示制御部５０３は、リモートコントローラ１５０が操作されてユーザ付加情報が入力されると、入力されたユーザ付加情報を、取得した指紋情報と対応付けてユーザ情報テーブル３００に保存する（ステップＳ１２０４）。
【００６６】
このように、本実施形態にかかるテレビジョン装置１によれば、認証に成功したユーザに応じて選択機能を実行する際に、選択機能の実行を決定するための決定キー１５０ｊの押下と同時に、指紋を用いたユーザの認証が行われるので、決定キー１５０ｊの操作のみで、個々のユーザに適した選択機能の実行が可能となる。
【００６７】
本実施形態のテレビジョン装置１で実行されるプログラムは、上述した各部（認証部５０１、実行部５０２、表示制御部５０３）を含むモジュール構成となっており、実際のハードウェアとしてはＣＰＵ（プロセッサ）が上記ＲＯＭからプログラムを読み出して実行することにより上記各部が主記憶装置上にロードされ、認証部５０１、実行部５０２、表示制御部５０３が主記憶装置上に生成されるようになっている。
【００６８】
なお、本実施形態のテレビジョン装置１で実行されるプログラムは、ＲＯＭ等に予め組み込まれて提供されるが、これに限定するものではない。本実施形態のテレビジョン装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６９】
さらに、本実施形態のテレビジョン装置１で実行されるプログラムを、インターネット等のネットワークに接続されたコンピュータ上に格納し、ネットワーク経由でダウンロードさせることにより提供するように構成しても良い。また、本実施形態のテレビジョン装置１で実行されるプログラムをインターネット等のネットワーク経由で提供または配布するように構成しても良い。
【００７０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００７１】
１  テレビジョン装置
１０２  映像表示パネル
１２７  制御部
１２９  受光部
１３１  メモリ
１５０  リモートコントローラ
１５０ｊ  決定キー
５０１  認証部
５０２  実行部
５０３  表示制御部
Ｓ  指紋センサ
Ｇ２  ユーザ登録画面
Ｇ４  ユーザ付加情報登録画面
【図１】
0006367125.tif 000002
【図２】
0006367125.tif 000003
【図３】
0006367125.tif 000004
【図４】
0006367125.tif 000005
【図５】
0006367125.tif 000006
【図６】
0006367125.tif 000007
【図７】
0006367125.tif 000008
【図８】
0006367125.tif 000009
【図９】
0006367125.tif 000010
【図１０】
0006367125.tif 000011
【図１１】
0006367125.tif 000012
【図１２】
0006367125.tif 000013